【手続補正書】
【提出日】平成18年8月9日(2006.8.9)
【手続補正１】
【補正対象書類名】明細書
【補正対象項目名】特許請求の範囲
【補正方法】変更
【補正の内容】
【特許請求の範囲】
【請求項１】  式(I)
【化１】
2002522554.tif 000001
の化合物、そのラセミ体、ジアステレオマー及び光学異性体又はこれらの医薬上許される塩もしくはエステル。
〔式中、
ＢはＨ、C6又はC10アリール、C7-16アラルキル；Het又は（低級アルキル）-Het（これらの全てが必要によりC1-6アルキル；C1-6アルコキシ；C1-6アルカノイル；ヒドロキシ；ヒドロキシアルキル；ハロ；ハロアルキル；ニトロ；シアノ；シアノアルキル；必要によりC1-6アルキルで置換されていてもよいアミノ；アミド；又は（低級アルキル）アミドで置換されていてもよい）であり、又は
Ｂは式R4-C(O)-のアシル誘導体；式R4-O-C(O)-のカルボキシル；式R4-N(R5)-C(O)-のアミド；式R4-N(R5)-C(S)-のチオアミド；又は式R4-SO2のスルホニルであり、
式中、
R4は(i)必要によりカルボキシル、C1-6アルカノイル、ヒドロキシ、C1-6アルコキシ、必要によりC1-6アルキルで一置換又は二置換されていてもよいアミノ、アミド、又は（低級アルキル）アミドで置換されていてもよいC1-10アルキル（ただしＢが式R4-C(O)-である場合は（低級アルキル）アミドで置換されたC1-10アルキルを除く）；
(ii)C3-7シクロアルキル、C3-7シクロアルコキシ、又はC4-10アルキルシクロアルキル（これらの全てが必要によりヒドロキシ、カルボキシル、（C1-6アルコキシ）カルボニル、必要によりC1-6アルキルで一置換又は二置換されていてもよいアミノ、アミド、又は（低級アルキル）アミドで置換されていてもよい）（ただし、Ｂが式R4-C(O)-である場合には（低級アルキル）アミドで置換されたC4-10アルキルシクロアルキルを除く）；
(iii)必要によりC1-6アルキルで一置換又は二置換されていてもよいアミノ；アミド；又は（低級アルキル）アミド；
(iv)C6もしくはC10アリール又はC7-16アラルキル（これらの全てが必要によりC1-6アルキル、ヒドロキシ、アミド、（低級アルキル）アミド、又は必要によりC1-6アルキルで一置換又は二置換されていてもよいアミノで置換されていてもよい）；又は
(v)Het又は（低級アルキル）-Het（両方とも必要によりC1-6アルキル、ヒドロキシ、アミド、（低級アルキル）アミド、又は必要によりC1-6アルキルで一置換又は二置換されていてもよいアミノで置換されていてもよい）であり、
R5はＨ又はC1-6アルキルであり、但し、R4がアミド又はチオアミドである場合、R4が(ii)シクロアルコキシではないことを条件とし、
ＹはＨ又はC1-6アルキルであり、
R3はC1-8アルキル、C3-7シクロアルキル、又はC4-10アルキルシクロアルキル（これらの全てが必要によりヒドロキシ、C1-6アルコキシ、C1-6チオアルキル、アミド、（低級アルキル）アミド、C6もしくはC10アリール、又はC7-16アラルキルで置換されていてもよい）であり、
R2はCH2-R20、NH-R20、O-R20又はS-R20であり、式中、R20は飽和又は不飽和C3-7シクロアルキル又はC4-10（アルキルシクロアルキル）であり、これらの全てが必要によりR21で一置換、二置換又は三置換されていてもよく、又は
R20はC6もしくはC10アリール又はC7-14アラルキルであり、これらの全てが必要によりR21で一置換、二置換又は三置換されていてもよく、或いは
R20はHet又は（低級アルキル）-Het（両方とも必要によりR21で一置換、二置換又は三置換されていてもよい）であり、
夫々のR21は独立にC1-6アルキル；C1-6アルコキシ；低級チオアルキル；スルホニル；NO2；OH；SH；ハロ；ハロアルキル；必要によりC1-6アルキル、C6又はC10アリール、C7-14アラルキル、Het又は（低級アルキル）-Hetで一置換又は二置換されていてもよいアミノ；必要によりC1-6アルキル、C6もしくはC10アリール、C7-14アラルキル、Het又は（低級アルキル）-Hetで一置換されていてもよいアミド；カルボキシル；カルボキシ（低級アルキル）；C6もしくはC10アリール、C7-14アラルキル又はHetであり、前記アリール、アラルキル又はHetは必要によりR22で置換されていてもよく、
R22はC1-6アルキル；C3-7シクロアルキル；C1-6アルコキシ；必要によりC1-6アルキルで一置換又は二置換されていてもよいアミノ；スルホニル；（低級アルキル）スルホニル；NO2；OH；SH；ハロ；ハロアルキル；カルボキシル；アミド；（低級アルキル）アミド；又は必要によりC1-6アルキルで置換されていてもよいHetであり、
R1はＨ；C1-6アルキル、C3-7シクロアルキル、C2-6アルケニル、又はC2-6アルキニル（これらの全てが必要によりハロゲンで置換されていてもよい）である〕
【請求項２】  ＢがC6もしくはC10アリール又はC7-16アラルキル（これらの全てが必要によりC1-6アルキル、C1-6アルコキシ、C1-6アルカノイル、ヒドロキシ、ヒドロキシアルキル、ハロ、ハロアルキル、ニトロ、シアノ、シアノアルキル、アミド、（低級アルキル）アミド、又は必要によりC1-6アルキルで置換されていてもよいアミノで置換されていてもよい）であり、又は
ＢがHet又は（低級アルキル）-Het（これらの全てが必要によりC1-6アルキル、C1-6アルコキシ、C1-6アルカノイル、ヒドロキシ、ヒドロキシアルキル、ハロ、ハロアルキル、ニトロ、シアノ、シアノアルキル、アミド、（低級アルキル）アミド、又は必要によりC1-6アルキルで置換されていてもよいアミノで置換されていてもよい）である請求の範囲第１項記載の式Ｉの化合物。
【請求項３】  ＢがR4-SO2であり、R4がC1-6アルキル；アミド；（低級アルキル）アミド；C6もしくはC10アリール、C7-14アラルキル又はHet（これらの全てが必要によりC1-6アルキルで置換されていてもよい）である請求の範囲第１項記載の式Ｉの化合物。
【請求項４】  Ｂが式R4-C(O)-のアシル誘導体であり、
式中、
R4が(i)必要によりカルボキシル、ヒドロキシもしくはC1-6アルコキシ、アミド、又は必要によりC1-6アルキルで一置換又は二置換されていてもよいアミノで置換されていてもよいC1-10アルキル；
(ii)C3-7シクロアルキル又はC4-10アルキルシクロアルキル（その両方が必要によりヒドロキシ、カルボキシル、（C1-6アルコキシ）カルボニル、アミド、（低級アルキル）アミド、又は必要によりC1-6アルキルで一置換又は二置換されていてもよいアミノで置換されていてもよい）（ただし（低級アルキル）アミドで置換されたC4-10アルキルシクロアルキルを除く）；
(iv)C6もしくはC10アリール又はC7-16アラルキル（これらの全てが必要によりC1-6アルキル、ヒドロキシ、アミド、（低級アルキル）アミド、又は必要によりC1-6アルキルで置換されていてもよいアミノで置換されていてもよい）；
(v)Het又は（低級アルキル）-Het（両方とも必要によりC1-6アルキル、ヒドロキシ、必要によりC1-6アルキルで置換されていてもよいアミノ、アミド、（低級アルキル）アミド、又は必要によりC1-6アルキルで置換されていてもよいアミノで置換されていてもよい）である請求の範囲第１項記載の式Ｉの化合物。
【請求項５】  Ｂが式R4-O-C(O)-のカルボキシルであり、
R4が(i)必要によりカルボキシル、C1-6アルカノイル、ヒドロキシ、C1-6アルコキシ、必要によりC1-6アルキルで一置換又は二置換されていてもよいアミノ、アミド、又は（低級アルキル）アミドで置換されていてもよいC1-10アルキル；  (ii)C3-7シクロアルキル、C4-10アルキルシクロアルキル（これらの全てが必要によりカルボキシル、（C1-6アルコキシ）カルボニル、必要によりC1-6アルキルで一置換又は二置換されていてもよいアミノ、アミド又は（低級アルキル）アミドで置換されていてもよい）；
(iv)C6もしくはC10アリール又はC7-16アラルキル（必要によりC1-6アルキル、ヒドロキシ、アミド、（低級アルキル）アミド、又は必要によりC1-6アルキルで一置換又は二置換されていてもよいアミノで置換されていてもよい）；又は
(v)Het又は（低級アルキル）-Het（両方とも必要によりC1-6アルキル、ヒドロキシ、必要によりC1-6アルキルで一置換又は二置換されていてもよいアミノ、アミド又は（低級アルキル）アミドで置換されていてもよい）である請求の範囲第１項記載の式Ｉの化合物。
【請求項６】  Ｂが式R4-N(R5)-C(O)-のアミドであり、
R4が
(i)必要によりカルボキシル、C1-6アルカノイル、ヒドロキシ、C1-6アルコキシ、アミド、（低級アルキル）アミド、又は必要によりC1-6アルキルで一置換又は二置換されていてもよいアミノで置換されていてもよいC1-10アルキル；
(ii)C3-7シクロアルキル又はC4-10アルキルシクロアルキル（これらの全てが必要によりカルボキシル、（C1-6アルコキシ）カルボニル、アミド、（低級アルキル）アミド、又は必要によりC1-6アルキルで一置換又は二置換されていてもよいアミノで置換されていてもよい）；
(iii)必要によりC1-3アルキルで一置換又は二置換されていてもよいアミノ；  (iv)C6もしくはC10アリール又はC7-16アラルキル（これらの全てが必要によりC1-6アルキル、ヒドロキシ、アミド、（低級アルキル）アミド、又は必要によりC1-6アルキルで置換されていてもよいアミノで置換されていてもよい）；又は
(v)Het又は（低級アルキル）-Het（両方とも必要によりC1-6アルキル、ヒドロキシ、必要によりC1-6アルキルで置換されていてもよいアミノ、アミド又は（低級アルキル）アミドで置換されていてもよい）であり、かつR5がＨ又はメチルである請求の範囲第1項記載の式Ｉの化合物。
【請求項７】  Ｂが式R4-NH-C(S)-のチオアミドであり、R4が
(i)必要によりカルボキシル、C1-6アルカノイル又はC1-6アルコキシで置換されていてもよいC1-10アルキル；
(ii)C3-7シクロアルキル又はC4-10アルキルシクロアルキル（これらの全てが必要によりカルボキシル、（C1-6アルコキシ）カルボニル、アミノ又はアミドで置換されていてもよい）である請求の範囲第１項記載の式Ｉの化合物。
【請求項８】  ＹがＨ又はメチルである請求の範囲第１項記載の式Ｉの化合物。
【請求項９】  R3がC1-8アルキル、C3-7シクロアルキル、又はC4-10アルキルシクロアルキル（これらの全てが必要によりヒドロキシ、C1-6アルコキシ、C1-6チオアルキル、アセトアミド、C6もしくはC10アリール、又はC7-16アラルキルで置換されていてもよい）である請求の範囲第１項記載の式Ｉの化合物。
【請求項１０】  R2がS-R20又はO-R20であり、式中、R20がC6もしくはC10アリール、C7-16アラルキル、Het又は-CH2-Hetであり、これらの全てが必要によりR21で一置換、二置換又は三置換されていてもよく、
R21がC1-6アルキル；C1-6アルコキシ；低級チオアルキル；必要によりC1-6アルキル、C6又はC10アリール、C7-14アラルキル、Het又は（低級アルキル）-Hetで一置換又は二置換されていてもよいアミノ又はアミド；NO2；OH；ハロ；トリフルオロメチル；カルボキシル；C6もしくはC10アリール、C7-16アラルキル又はHetであり、前記アリール、アラルキル又はHetは必要によりR22で置換されていてもよく、
R22がC1-6アルキル；C3-7シクロアルキル；C1-6アルコキシ；アミノ；モノ又はジ-(低級アルキル)アミノ；（低級アルキル）アミド；スルホニルアルキル；NO2；OH；ハロ；トリフルオロメチル；カルボキシル又はHetである請求の範囲第１項記載の式Ｉの化合物。
【請求項１１】  P1がシクロブチル又はシクロプロピル環であり、両方とも必要によりR1で置換されていてもよく、R1はＨ、C1-3アルキル、C3-5シクロアルキル、又はC2-4アルケニル（これらの全てが必要によりハロで置換されていてもよい）である請求の範囲第１項記載の式Ｉの化合物。
【請求項１２】  ＢがC6もしくはC10アリール又はC7-16アラルキル（これらの全てが必要によりC1-6アルキル、C1-6アルコキシ、C1-6アルカノイル、ヒドロキシ、ヒドロキシアルキル、ハロ、ハロアルキル、ニトロ、シアノ、シアノアルキル、アミド、（低級アルキル）アミド、又は必要によりC1-6アルキルで置換されていてもよいアミノで置換されていてもよい）；又はHetもしくは（低級アルキル）-Het（これらの全てが必要によりC1-6アルキル、C1-6アルコキシ、C1-6アルカノイル、ヒドロキシ、ヒドロキシアルキル、ハロ、ハロアルキル、ニトロ、シアノ、シアノアルキル、アミド、（低級アルキル）アミド、又は必要によりC1-6アルキルで置換されていてもよいアミノで置換されていてもよい）であり、又は
ＢがR4-SO2であり、R4がアミド；（低級アルキル）アミド；C6もしくはC10アリール、C7-14アラルキル又はHet（これらの全てが必要によりC1-6アルキルで置換されていてもよい）であることが好ましく、又は
Ｂが式R4-C(O)-のアシル誘導体であり、R4が
(i)必要によりカルボキシル、ヒドロキシもしくはC1-6アルコキシ、アミド、又は必要によりC1-6アルキルで一置換もしくは二置換されていてもよいアミノで置換されていてもよいC1-10アルキル；
(ii)C3-7シクロアルキル又はC4-10アルキルシクロアルキル（その両方が必要によりヒドロキシ、カルボキシル、（C1-6アルコキシ）カルボニル、アミド、（低級アルキル）アミド、又は必要によりC1-6アルキルで一置換もしくは二置換されていてもよいアミノで置換されていてもよい）（ただし（低級アルキル）アミドで置換されたC4-10アルキルシクロアルキルを除く）；
(iv)C6もしくはC10アリール又はC7-16アラルキル（これらの全てが必要によりC1-6アルキル、ヒドロキシ、アミド、（低級アルキル）アミド、又は必要によりC1-6アルキルで置換されていてもよいアミノで置換されていてもよい）；
(v)Hetもしくは（低級アルキル）-Het（両方とも必要によりC1-6アルキル、ヒドロキシ、必要によりC1-6アルキルで置換されていてもよいアミノ、アミド、（低級アルキル）アミド、又は必要によりC1-6アルキルで置換されていてもよいアミノで置換されていてもよい）であり、又は
Ｂが式R4-O-C(O)-のカルボキシルであり、R4が
(i)必要によりカルボキシル、C1-6アルカノイル、ヒドロキシ、C1-6アルコキシ、必要によりC1-6アルキルで一置換又は二置換されていてもよいアミノ、アミド又は（低級アルキル）アミドで置換されていてもよいC1-10アルキル；
(ii)C3-7シクロアルキル、C4-10アルキルシクロアルキル（これらの全てが必要によりカルボキシル、（C1-6アルコキシ）カルボニル、必要によりC1-6アルキルで一置換又は二置換されていてもよいアミノ、アミド又は（低級アルキル）アミドで置換されていてもよい）；
(iv)C6もしくはC10アリール又はC7-16アラルキル（必要によりC1-6アルキル、ヒドロキシ、アミド、（低級アルキル）アミド、又は必要によりC1-6アルキルで一置換もしくは二置換されていてもよいアミノで置換されていてもよい）；又は  (v)Het又は（低級アルキル）-Het（両方とも必要によりC1-6アルキル、ヒドロキシ、必要によりC1-6アルキルで一置換もしくは二置換されていてもよいアミノ、アミド又は（低級アルキル）アミドで置換されていてもよい）であり、又は
Ｂが式R4-N(R5)-C(O)-のアミドであり、R4が
(i)必要によりカルボキシル、C1-6アルカノイル、ヒドロキシ、C1-6アルコキシ、アミド、（低級アルキル）アミド、又は必要によりC1-6アルキルで一置換又は二置換されていてもよいアミノで置換されていてもよいC1-10アルキル；
(ii)C3-7シクロアルキル又はC4-10アルキルシクロアルキル（これらの全てが必要によりカルボキシル、（C1-6アルコキシ）カルボニル、アミド、（低級アルキル）アミド、又は必要によりC1-6アルキルで一置換又は二置換されていてもよいアミノで置換されていてもよい）；
(iii)必要によりC1-3アルキルで一置換又は二置換されていてもよいアミノ；  (iv)C6もしくはC10アリール又はC7-16アラルキル（これらの全てが必要によりC1-6アルキル、ヒドロキシ、アミド、（低級アルキル）アミド、又は必要によりC1-6アルキルで置換されていてもよいアミノで置換されていてもよい）；又は
(v)Hetもしくは（低級アルキル）-Het（両方とも必要によりC1-6アルキル、ヒドロキシ、必要によりC1-6アルキルで置換されていてもよいアミノ、アミド又は（低級アルキル）アミドで置換されていてもよい）であり、かつR5がＨ又はメチルであり、又は
Ｂが式R4-NH-C(S)-のチオアミドであり、R4が
(i)必要によりカルボキシル、C1-6アルカノイル又はC1-6アルコキシで置換されていてもよいC1-10アルキル；
(ii)C3-7シクロアルキル又はC4-10アルキルシクロアルキル（これらの全てが必要によりカルボキシル、(C1-6アルコキシ)カルボニル、アミノ又はアミドで置換されていてもよい）であり、
ＹがＨ又はメチルであり、
R3がC1-8アルキル、C3-7シクロアルキル、又はC4-10アルキルシクロアルキル（これらの全てが必要によりヒドロキシ、C1-6アルコキシ、C1-6チオアルキル、アセトアミド、C6もしくはC10アリール、又はC7-16アラルキルで置換されていてもよい）であり、
R2がS-R20又はO-R20であり、R20がC6もしくはC10アリール、C7-16アラルキル、Het又は-CH2-Hetであることが好ましく、これらの全てが必要によりR21で一置換、二置換又は三置換されていてもよく、
R21がC1-6アルキル；C1-6アルコキシ；低級チオアルキル；必要によりC1-6アルキル、C6又はC10アリール、C7-16アラルキル、Het又は（低級アルキル）-Hetで一置換又は二置換されていてもよいアミノ又はアミド；NO2；OH；ハロ；トリフルオロメチル；カルボキシル；C6もしくはC10アリール、C7-16アラルキル又はHetであり、前記アリール、アラルキル又はHetは必要によりR22で置換されていてもよく、
R22がC1-6アルキル；C3-7シクロアルキル；C1-6アルコキシ；アミノ；モノ-又はジ-(低級アルキル)アミノ；（低級アルキル）アミド；スルホニルアルキル；NO2；OH；ハロ；トリフルオロメチル；カルボキシル又はHetであり、又は
R2が
【化２】
2002522554.tif 000002
からなる群から選ばれ、又は
R2が1-ナフチルメトキシ、2-ナフチルメトキシ；ベンジルオキシ、1-ナフチルオキシ、2-ナフチルオキシ；又は未置換、先に定義されたR21で一置換もしくは二置換されたキノリノキシであり、かつ
P1セグメントがシクロプロピル環であり、両方とも必要によりR1で置換されていてもよく、R1がC1-3アルキル、C3-5シクロアルキル、又はC2-4アルケニル（必要によりハロで置換されていてもよい）であり、かつ炭素２にあるR1が１位にあるカルボニルに対しsyn配向され、基：
【化３】
2002522554.tif 000003
により表される請求の範囲第１項記載の式Ｉの化合物又はその医薬上許される塩もしくはエステル。
【請求項１３】  医薬上許される担体媒体又は補助剤と混合して、抗Ｃ型肝炎ウイルス有効量の請求の範囲第１項記載の式Ｉの化合物、又はその治療上許される塩もしくはエステルを含むことを特徴とする医薬組成物。
【請求項１４】  哺乳類のＣ型肝炎ウイルス感染症の治療用組成物である、請求の範囲第１３項記載の医薬組成物。
【請求項１５】  Ｃ型肝炎ウイルスNS3プロテアーゼ抑制量の請求の範囲第１項記載の式Ｉの化合物、又はその治療上許される塩もしくはエステルを含むＣ型肝炎ウイルスの複製の抑制組成物。
【請求項１６】  さらに別の抗HCV剤を含む、請求の範囲第１４項記載の医薬組成物。
【請求項１７】  前記の別の抗HCV剤がα-又はβ-インターフェロン、リバビリン及びアマンタジンからなる群から選ばれる請求の範囲第１６項記載の医薬組成物。
【請求項１８】  前記の別のHCV剤がヘリカーゼ、ポリメラーゼ、メタロプロテアーゼ又はIRESから選ばれた、HCV生活環におけるその他の標的のインヒビターを含む請求の範囲第１６項記載の医薬組成物。
【請求項１９】  APG-P3-P2；又はAPG-P2からなる群から選ばれたペプチドを式：
【化４】
2002522554.tif 000004
（式中、R1はC1-6アルキル、シクロアルキル又はC2-6アルケニル（これらの全てが必要によりハロゲンで置換されていてもよい）であり、CPGはカルボキシル保護基であり、かつAPGはアミノ保護基であり、かつP3及びP2は先に定義されたとおりである）
のP1中間体とカップリングする工程を含むことを特徴とする式(I)のペプチド類似体（式中、P1は置換アミノシクロプロピルカルボン酸残基である）の調製方法。
【請求項２０】  1)セリンプロテアーゼインヒビターペプチド類似体、又は2)HCV NS3プロテアーゼインヒビターペプチド類似体の調製方法であって、この方法が（適当に保護された）アミノ酸、ペプチド又はペプチド断片を式：
【化５】
2002522554.tif 000005
（式中、R1はC1-6アルキル、シクロアルキル又はC2-6アルケニル（これらの全てが必要によりハロゲンで置換されていてもよい）であり、かつCPGはカルボキシル保護基である）
のP1中間体とカップリングする工程を含むことを特徴とする前記類似体の調製方法。
【請求項２１】  1)セリンプロテアーゼインヒビターペプチド類似体、又は2)HCV NS3プロテアーゼインヒビターペプチド類似体の調製のための式：
【化６】
2002522554.tif 000006
（式中、R1はC1-6アルキル、シクロアルキル又はC2-6アルケニル（これらの全てが必要によりハロゲンで置換されていてもよい）であり、かつCPGはカルボキシル保護基である）
のP1中間体の使用。
【請求項２２】  (1R,2S)/(1S,2S)-1-アミノ-2-ビニルシクロプロピルカルボン酸メチルエステルの混合物をエステラーゼで処理して相当する(1R,2S)鏡像体を得る工程を含むことを特徴とする前記混合物からの鏡像体の分割方法。
【請求項２３】  1)セリンプロテアーゼインヒビターペプチド類似体、2)HCV NS3プロテアーゼインヒビターペプチド類似体、又は3)式Ｉのペプチド類似体の合成のための式：
【化７】
2002522554.tif 000007
（式中、R21AはC1-6アルキル；C1-6アルコキシ；低級チオアルキル；ハロ；必要によりC1-6アルキルで一置換されていてもよいアミノ；C6、C10アリール、C7-16アラルキル又はHetであり、前記アリール、アラルキル又はHetは必要によりR22で置換されていてもよく、R22はC1-6アルキル、C1-6アルコキシ、アミド、（低級アルキル）アミド、必要によりC1-6アルキルで一置換もしくは二置換されていてもよいアミノ、又はHetであり、かつR21BはC1-6アルキル、C1-6アルコキシ、アミノ、ジ（低級アルキル）アミノ、（低級アルキル）アミド、NO2、OH、ハロ、トリフルオロメチル、又はカルボキシルである）
のプロリン類似体の使用。
【請求項２４】  哺乳類のＣ型肝炎ウイルス感染症の治療用の組成物の調製のための抗Ｃ型肝炎ウイルス有効量の請求の範囲第１項記載の式Ｉの化合物、又はその治療上許される塩もしくはエステルの使用。
【請求項２５】  Ｃ型肝炎ウイルスの複製を抑制するための組成物の調製のためのＣ型肝炎ウイルスNS3プロテアーゼ抑制量の請求の範囲第１項記載の式Ｉの化合物、又はその治療上許される塩もしくはエステルの使用。
【請求項２６】  哺乳類のＣ型肝炎ウイルス感染症の治療用の組成物の調製のための抗Ｃ型肝炎ウイルス有効量の請求の範囲第１項記載の式Ｉの化合物、又はその治療上許される塩もしくはエステルと、インターフェロンの組み合わせの使用。